(57)【要約】【課題】歯ぎしりの検出をより正確に行うことができる歯ぎしり防止装置を提供すること。【解決手段】装置本体１０Ａの傾きを検出する位置センサー１２を有し、制御手段１４は、圧電センサー１１で検出される波形の振幅と波形特性とから、クレンチング、グラインディング、及びタッピングに識別して歯ぎしりを判定する歯ぎしり種類判定部１４ａと、位置センサー１２によって頭位の変化を検出すると、頭位の変化中に発生した上顎歯と下顎歯の接触を歯ぎしりでは無いと判別するブラキシズム判別部１４ｂと歯ぎしり種類判定部１４ａで判定され、ブラキシズム判別部１４ｂで歯ぎしりと判別すると振動発生手段１５に振動指示を行う振動制御部１４ｃとを有することを特徴とする。【選択図】        図１
2020075018.tif 000002
【特許請求の範囲】
【請求項１】
口腔内に装着される装置本体と、
上顎歯と下顎歯との接触状態を検出する圧電センサーと、
前記圧電センサーの信号から歯ぎしりを判別する制御手段と、
前記制御手段によって前記歯ぎしりを判別すると振動を発生させる振動発生手段と
を備えた歯ぎしり防止装置であって、
前記装置本体の傾きを検出する位置センサーを有し、
前記制御手段は、
前記圧電センサーで検出される波形の振幅と波形特性とから、クレンチング、グラインディング、及びタッピングに識別して前記歯ぎしりを判定する歯ぎしり種類判定部と、
前記位置センサーによって頭位の変化を検出すると、前記頭位の前記変化中に発生した前記上顎歯と前記下顎歯の接触を前記歯ぎしりでは無いと判別するブラキシズム判別部と
前記歯ぎしり種類判定部で判定され、前記ブラキシズム判別部で前記歯ぎしりと判別すると前記振動発生手段に振動指示を行う振動制御部と
を有する
ことを特徴とする歯ぎしり防止装置。
【請求項２】
前記装置本体に配置して前記口腔内の温度を検出する温度センサーを有し、
前記振動制御部では、前記温度センサーからの検出温度によって前記装置本体が前記口腔外にあると判断した場合には前記振動発生手段に前記振動指示を行わない
ことを特徴とする請求項１に記載の歯ぎしり防止装置。
【請求項３】
前記歯ぎしり種類判定部で判定され、前記ブラキシズム判別部で判別された、前記クレンチング、前記グラインディング、及び前記タッピングについて、検出時刻、発生間隔時間、平均持続時間、及び発生回数の少なくともいずれかのブラキシズム動作データを記憶する
ことを特徴とする請求項１又は請求項２に記載の歯ぎしり防止装置。
【請求項４】
前記振動発生手段による前記振動の強さ及び作動時間を、あらかじめ制御データとして記憶し、
前記振動制御部では、記憶された前記制御データによって前記振動発生手段に前記振動指示を行い、
前記制御データは、記憶された前記ブラキシズム動作データによって変更できる
ことを特徴とする請求項３に記載の歯ぎしり防止装置。
【請求項５】
請求項１から請求項３のいずれか１項に記載の歯ぎしり防止装置とデータ送受信を行うクライアント端末であって、
前記クレンチング、前記グラインディング、及び前記タッピング別に、前記検出時刻、前記発生間隔時間、前記平均持続時間、及び前記発生回数の少なくともいずれかの前記ブラキシズム動作データを受信し、
前記クレンチング、前記グラインディング、及び前記タッピング別に、前記検出時刻、前記発生間隔時間、前記平均持続時間、及び前記発生回数の少なくともいずれかの前記ブラキシズム動作データを記憶及び表示し、
受信した前記ブラキシズム動作データをサーバーに送信する
ことを特徴とするクライアント端末。
【請求項６】
請求項５に記載のクライアント端末とデータ送受信を行うサーバーであって、
前記クレンチング、前記グラインディング、及び前記タッピング別に、前記検出時刻、前記発生間隔時間、前記平均持続時間、及び前記発生回数の少なくともいずれかの前記ブラキシズム動作データを受信し、
新たに受信した前記ブラキシズム動作データと、以前に受信した前記ブラキシズム動作データとを比較して、前記振動発生手段による振動の強さ及び作動時間を新たに設定する
ことを特徴とするサーバー。
【発明の詳細な説明】
【技術分野】
【０００１】
本発明は、夜間睡眠中の歯ぎしりを抑制する歯ぎしり防止装置、歯ぎしり防止装置とデータ送受信を行うクライアント端末、クライアント端末とデータ送受信を行うサーバーに関する。
【背景技術】
【０００２】
特許文献１は、口腔内に装着される装置本体と、上顎歯と下顎歯との接触状態を検出する圧電センサーと、圧電センサーの信号から歯ぎしりを判別する制御手段と、制御部によって歯ぎしりを判別すると振動を発生させる振動発生手段とを備えた歯ぎしり防止装置を提案している。
【先行技術文献】
【特許文献】
【０００３】
【特許文献１】特開２０１５−３３５２０号公報
【発明の概要】
【発明が解決しようとする課題】
【０００４】
特許文献１によれば、歯ぎしりの抑制を促すことができるが、睡眠中に寝返りすることもあり、寝返りで生じる歯の接触を歯ぎしりと誤認することがあった。また歯ぎしり防止装置が無意識に口腔外に外されている場合に、歯ぎしりが全くなかったと誤認することがあった。また、患者による歯ぎしりのパタ−ンや強さの違いを識別し、患者ごとに最も適切な振動条件を設定することができなかった。歯ぎしりの検出を更に正確に行うことができれば、医師による診断や治療にも大きな期待ができる。
【０００５】
本発明は、歯ぎしりの検出をより正確に行うことができる歯ぎしり防止装置を提供することを目的とする。
【課題を解決するための手段】
【０００６】
請求項１記載の本発明の歯ぎしり防止装置１０は、口腔内に装着される装置本体１０Ａと、上顎歯と下顎歯との接触状態を検出する圧電センサー１１と、前記圧電センサー１１の信号から歯ぎしりを判別する制御手段１４と、前記制御手段１４によって前記歯ぎしりを判別すると振動を発生させる振動発生手段１５とを備えた歯ぎしり防止装置１０であって、前記装置本体１０Ａの傾きを検出する位置センサー１２を有し、前記制御手段１４は、前記圧電センサー１１で検出される波形の振幅と波形特性とから、クレンチング（噛みしめる）、グラインディング（歯をギシギシとこすり合わせる）、及びタッピング（カチカチする）に識別して前記歯ぎしりを判定する歯ぎしり種類判定部１４ａと、前記位置センサー１２によって頭位の変化を検出すると、前記頭位の前記変化中に発生した前記上顎歯と前記下顎歯の接触を前記歯ぎしりでは無いと判別するブラキシズム判別部１４ｂと前記歯ぎしり種類判定部１４ａで判定され、前記ブラキシズム判別部１４ｂで前記歯ぎしりと判別すると前記振動発生手段１５に振動指示を行う振動制御部１４ｃとを有することを特徴とする。
請求項２記載の本発明は、請求項１に記載の歯ぎしり防止装置１０において、前記装置本体１０Ａに配置して前記口腔内の温度を検出する温度センサー１３を有し、前記振動制御部１４ｃでは、前記温度センサー１３からの検出温度によって前記装置本体１０Ａが前記口腔外にあると判断した場合には前記振動発生手段１５に前記振動指示を行わないことを特徴とする。
請求項３記載の本発明は、請求項１又は請求項２に記載の歯ぎしり防止装置１０において、前記歯ぎしり種類判定部１４ａで判定され、前記ブラキシズム判別部１４ｂで判別された、前記クレンチング、前記グラインディング、及び前記タッピングについて、検出時刻、発生間隔時間、平均持続時間、及び発生回数の少なくともいずれかのブラキシズム動作データを記憶することを特徴とする。
請求項４記載の本発明は、請求項３に記載の歯ぎしり防止装置１０において、前記振動発生手段１５による前記振動の強さ及び作動時間を、あらかじめ制御データとして記憶し、前記振動制御部１４ｃでは、記憶された前記制御データによって前記振動発生手段１５に前記振動指示を行い、前記制御データは、記憶された前記ブラキシズム動作データによって変更できることを特徴とする。
請求項５記載の本発明のクライアント端末２０は、請求項１から請求項３のいずれか１項に記載の歯ぎしり防止装置１０とデータ送受信を行うクライアント端末２０であって、前記クレンチング、前記グラインディング、及び前記タッピング別に、前記検出時刻、前記発生間隔時間、前記平均持続時間、及び前記発生回数の少なくともいずれかの前記ブラキシズム動作データを受信し、前記クレンチング、前記グラインディング、及び前記タッピング別に、前記検出時刻、前記発生間隔時間、前記平均持続時間、及び前記発生回数の少なくともいずれかの前記ブラキシズム動作データを記憶及び表示し、受信した前記ブラキシズム動作データをサーバーに送信することを特徴とする。
請求項６記載の本発明のサーバー３０は、請求項５に記載のクライアント端末２０とデータ送受信を行うサーバー３０であって、前記クレンチング、前記グラインディング、及び前記タッピング別に、前記検出時刻、前記発生間隔時間、前記平均持続時間、及び前記発生回数の少なくともいずれかの前記ブラキシズム動作データを受信し、新たに受信した前記ブラキシズム動作データと、以前に受信した前記ブラキシズム動作データとを比較して、前記振動発生手段１５による振動の強さ及び作動時間を新たに設定することを特徴とする。
【発明の効果】
【０００７】
本発明の歯ぎしり防止装置によれば、歯ぎしりをクレンチング、グラインディング、及びタッピングに識別して判定し、更に、寝返りなどでの頭位の変化時に発生するタッピングに似た検出値をノイズとして除去できるため、歯ぎしりの検出をより正確に行うことができる。
【図面の簡単な説明】
【０００８】
【図１】本実施例による歯ぎしり防止システムを機能実現手段で現したブロック図
【図２】本実施例による歯ぎしり防止装置を示す写真
【図３】クレンチング、グラインディング、及びタッピングによる波形振幅と波形特性を示すグラフ
【発明を実施するための形態】
【０００９】
本発明の第１の実施の形態による歯ぎしり防止装置は、装置本体の傾きを検出する位置センサーを有し、制御手段は、圧電センサーで検出される波形の振幅と波形特性とから、クレンチング、グラインディング、及びタッピングに識別して歯ぎしりを判定する歯ぎしり種類判定部と、位置センサーによって頭位の変化を検出すると、頭位の変化中に発生した上顎歯と下顎歯の接触を歯ぎしりでは無いと判別するブラキシズム判別部と歯ぎしり種類判定部で判定され、ブラキシズム判別部で歯ぎしりと判別すると振動発生手段に振動指示を行う振動制御部とを有するものである。本実施の形態によれば、歯ぎしりをクレンチング、グラインディング、及びタッピングに識別して判定し、更に、寝返りなどでの頭位の変化時に発生するタッピングに似た検出値をノイズとして除去できるため、歯ぎしりの検出をより正確に行うことができる。
【００１０】
本発明の第２の実施の形態は、第１の実施の形態による歯ぎしり防止装置において、装置本体に配置して口腔内の温度を検出する温度センサーを有し、振動制御部では、温度センサーからの検出温度によって装置本体が口腔外にあると判断した場合には振動発生手段に振動指示を行わないものである。本実施の形態によれば、口腔内に装着されていない状態では振動を発生させないため口腔外での誤動作を防止でき、無意識に口腔外に外されている場合に歯ぎしりが全くなかったと誤認することを防止できる。
【００１１】
本発明の第３の実施の形態は、第１又は第２の実施の形態による歯ぎしり防止装置において、歯ぎしり種類判定部で判定され、ブラキシズム判別部で判別された、クレンチング、グラインディング、及びタッピングについて、検出時刻、発生間隔時間、平均持続時間、及び発生回数の少なくともいずれかのブラキシズム動作データを記憶するものである。本実施の形態によれば、歯ぎしりの発生状況を把握でき、改善効果を高めることができる。
【００１２】
本発明の第４の実施の形態は、第３の実施の形態による歯ぎしり防止装置において、振動発生手段による振動の強さ及び作動時間を、あらかじめ制御データとして記憶し、振動制御部では、記憶された制御データによって振動発生手段に振動指示を行い、制御データは、記憶されたブラキシズム動作データによって変更できるものである。本実施の形態によれば、振動の強さや作動時間を使用者に合わせることができ、また改善度合いによって変更できるため、歯ぎしり抑制効果を高めることができる。
【００１３】
本発明の第５の実施の形態は、第１から第３のいずれかに記載の歯ぎしり防止装置とデータ送受信を行うクライアント端末であって、クレンチング、グラインディング、及びタッピング別に、検出時刻、発生間隔時間、平均持続時間、及び発生回数の少なくともいずれかのブラキシズム動作データを受信し、クレンチング、グラインディング、及びタッピング別に、検出時刻、発生間隔時間、平均持続時間、及び発生回数の少なくともいずれかのブラキシズム動作データを記憶及び表示し、受信したブラキシズム動作データをサーバーに送信するものである。本実施の形態によれば、クライアント端末で歯ぎしりの発生状況を確認でき、改善効果を高めることができる。また、日ごとにブラキシズム動作デ−タを集計してグラフに表示することにより、経過を把握することができ、改善されているかどうかを判定できる。
【００１４】
本発明の第６の実施の形態は、第５に記載のクライアント端末とデータ送受信を行うサーバーであって、クレンチング、グラインディング、及びタッピング別に、検出時刻、発生間隔時間、平均持続時間、及び発生回数の少なくともいずれかのブラキシズム動作データを受信し、新たに受信したブラキシズム動作データと、以前に受信したブラキシズム動作データとを比較して、振動発生手段による振動の強さ及び作動時間を新たに設定するものである。本実施の形態によれば、改善度合いによって振動の強さや作動時間を変更できるため、歯ぎしり抑制効果を高めることができる。
【実施例】
【００１５】
以下本発明の一実施例による歯ぎしり防止装置について説明する。
図１は本実施例による歯ぎしり防止システムを機能実現手段で現したブロック図、図２は本実施例による歯ぎしり防止装置を示す写真、図３はクレンチング、グラインディング、及びタッピングによる波形振幅と波形特性を示すグラフである。
【００１６】
図１に示すように、本実施例による歯ぎしり防止システムは、歯ぎしり防止装置１０と、歯ぎしり防止装置１０とデータ送受信を行うクライアント端末２０、及びクライアント端末２０とデータ送受信を行うサーバー３０とで構成される。
【００１７】
歯ぎしり防止装置１０は、上顎歯と下顎歯との接触状態を検出する圧電センサー１１と、口腔内に装着される装置本体１０Ａ（図２参照）の傾きを検出する位置センサー１２と、装置本体１０Ａに配置して口腔内の温度を検出する温度センサー１３と、圧電センサー１１の信号から歯ぎしりを判別する制御手段１４と、制御手段１４によって歯ぎしりを判別すると振動を発生させる振動発生手段１５と、時間を計時するタイマー手段１６と、データを記憶する記憶手段１７と、制御データを入力する制御データ入力手段１８と、ブラキシズム動作データを出力するブラキシズム動作データ送信手段１９と、を備えている。
【００１８】
制御手段１４は、圧電センサー１１で検出される波形の振幅と波形特性とから、クレンチング、グラインディング、及びタッピングに識別して歯ぎしりを判定する歯ぎしり種類判定部１４ａと、位置センサー１２によって頭位の変化を検出すると、頭位の変化中に発生した上顎歯と下顎歯の接触を歯ぎしりでは無いと判別するブラキシズム判別部１４ｂと、歯ぎしり種類判定部１４ａで判定され、ブラキシズム判別部１４ｂで歯ぎしりと判別すると振動発生手段１５に振動指示を行う振動制御部１４ｃとを有する。
本実施例によれば、歯ぎしりをクレンチング、グラインディング、及びタッピングに識別して判定し、更に、寝返りなどでの頭位の変化時に発生するタッピングに似た検出値をノイズとして除去できるため、歯ぎしりの検出をより正確に行うことができる。
振動制御部１４ｃでは、温度センサー１３からの検出温度によって装置本体１０Ａが口腔外にあると判断した場合には振動発生手段１５に振動指示を行わない。このように、装置本体１０Ａが口腔内に装着されていない状態では振動を発生させないため、口腔外での誤動作を防止できる。
【００１９】
記憶手段１７として、制御データ記憶手段１７ａとブラキシズム動作データ記憶手段１７ｂとを有している。
制御データ記憶手段１７ａには、振動発生手段１５による振動の強さ及び作動時間を、あらかじめ制御データとして記憶している。制御データは、ブラキシズム動作データ記憶手段１７ｂに記憶されたブラキシズム動作データによって変更できる。制御データを、記憶されたブラキシズム動作データによって変更できることで、振動の強さや作動時間を使用者に合わせることができ、また改善度合いによって変更できるため、歯ぎしり抑制効果を高めることができる。
振動制御部１４ｃでは、制御データ記憶手段１７ａに記憶された制御データによって振動発生手段１５に振動指示を行う。
ブラキシズム動作データ記憶手段１７ｂには、歯ぎしり種類判定部１４ａで判定され、ブラキシズム判別部１４ｂで判別された、クレンチング、グラインディング、及びタッピングについて、検出時刻、発生間隔時間、平均持続時間、及び発生回数の少なくともいずれかのブラキシズム動作データを記憶する。このように、ブラキシズム動作データを記憶することで、歯ぎしりの発生状況を把握でき、改善効果を高めることができる。
【００２０】
クライアント端末２０は、クライアント側ブラキシズム動作データ受信手段２１と、クライアント側ブラキシズム動作データ送信手段２２と、表示手段２３と、クライアント側制御データ入力手段２４と、クライアント側制御データ送信手段２５とを有している。
【００２１】
クライアント側ブラキシズム動作データ受信手段２１は、ブラキシズム動作データ送信手段１９から送信されるブラキシズム動作データを受信する。
クライアント側ブラキシズム動作データ受信手段２１で受信したブラキシズム動作データは、クライアント側ブラキシズム動作データ送信手段２２で送信するとともに、表示手段２３で表示させることができる。
従って、表示手段２３では、クレンチング、グラインディング、及びタッピング別に、検出時刻、発生間隔時間、平均持続時間、及び発生回数の少なくともいずれかのブラキシズム動作データを表示することができ、クライアント端末２０で歯ぎしりの発生状況を確認でき、改善効果を高めることができる。また、日ごとにブラキシズム動作デ−タを集計してグラフに表示することにより、経過を把握することができ、改善されているかどうかを判定できる。
クライアント側制御データ入力手段２４は、歯ぎしり防止装置１０のＯＮ／ＯＦＦ、振動発生手段１５のＯＮ／ＯＦＦ、振動発生手段１５による振動の強さ及び作動時間、ブラキシズム動作データ記憶手段１７ｂのデータ消去、及びブラキシズム動作データ送信手段１９からのデータ送信指示を入力できる。
クライアント側制御データ送信手段２５は、クライアント側制御データ入力手段２４で入力されたデータを歯ぎしり防止装置１０に対して送信する。クライアント側制御データ送信手段２５で送信されるデータは、制御データ入力手段１８で受信され、制御データ記憶手段１７ａに記憶され、又は歯ぎしり防止装置１０をＯＮ／ＯＦＦし、振動発生手段１５をＯＮ／ＯＦＦする。
【００２２】
サーバー３０は、サーバー側ブラキシズム動作データ受信手段３１と、サーバー側ブラキシズム動作データ記憶手段３２と、サーバー側制御手段３３と、サーバー側制御データ記憶手段３４と、サーバー側制御データ送信手段３５とを有している。
【００２３】
サーバー側ブラキシズム動作データ受信手段３１は、ブラキシズム動作データ送信手段１９、又はクライアント側ブラキシズム動作データ送信手段２２から送信されるブラキシズム動作データを受信する。
サーバー側ブラキシズム動作データ受信手段３１で受信したブラキシズム動作データは、サーバー側ブラキシズム動作データ記憶手段３２に記憶される。
【００２４】
サーバー側制御手段３３は、動作データ比較判定部３３ａと、振動時間設定部３３ｂと、振動強度設定部３３ｃと、閾値設定部３３ｄとを有している。
動作データ比較判定部３３ａでは、過去のブラキシズム動作データと新たなブラキシズム動作データとを比較し、クレンチング、グラインディング、及びタッピング別に、発生間隔時間、平均持続時間、及び発生回数の変化を判定する。
振動時間設定部３３ｂでは、動作データ比較判定部３３ａでの判定結果に応じて振動時間を設定する。
振動強度設定部３３ｃでは、動作データ比較判定部３３ａでの判定結果に応じて振動強度を設定する。
閾値設定部３３ｄでは、動作データ比較判定部３３ａでの判定結果に応じてブラキシズム検出の閾値を設定する。
【００２５】
なお、振動時間設定部３３ｂで設定する振動時間、振動強度設定部３３ｃで設定する振動強度、及び閾値設定部３３ｄで設定する閾値は、クレンチング、グラインディング、及びタッピング別に設定することが好ましい。
また、振動時間設定部３３ｂで設定する振動時間、振動強度設定部３３ｃで設定する振動強度、及び閾値設定部３３ｄで設定する閾値は、動作データ比較判定部３３ａで判定される、発生間隔時間、平均持続時間、及び発生回数の変化とともに、比較元になった過去のブラキシズム動作データでの振動時間、振動強度、及び閾値を基に設定することが好ましい。従って、設定された後にサーバー側制御データ記憶手段３４に記憶される振動時間、振動強度、及び閾値のデータは、新たなブラキシズム動作データと関連付けされてサーバー側ブラキシズム動作データ記憶手段３２に記憶することが好ましい。
【００２６】
振動時間設定部３３ｂで設定する振動時間、振動強度設定部３３ｃで設定する振動強度、及び閾値設定部３３ｄで設定する閾値のデータは、サーバー側制御データ記憶手段３４に記憶され、サーバー側制御データ送信手段３５から送信される。
サーバー側制御データ送信手段３５から送信されるデータは、クライアント側制御データ入力手段２４で受信され、クライアント側制御データ送信手段２５から歯ぎしり防止装置１０に対して送信される。また、サーバー側制御データ送信手段３５から送信されるデータは、制御データ入力手段１８で受信してもよい。
このように、新たに受信したブラキシズム動作データと、以前に受信したブラキシズム動作データとを比較して、振動発生手段１５による振動の強さ及び作動時間を新たに設定できることで、改善度合いによって振動の強さや作動時間を変更できるため、歯ぎしり抑制効果を高めることができる。
サーバー３０は、すべての患者（クライアント端末２０）から送られるデ−タを保存するとともに、医師はクライアント端末２０内に保存されている自分の患者のデ−タにいつでもアクセスでき、それを基にして、適切な指示を与えることができる。
【００２７】
図２に示すように、歯ぎしり防止装置１０は、装置本体１０Ａと制御部本体１０Ｂとから形成され、装置本体１０Ａは口腔内に装着されて用いられる。
装置本体１０Ａには圧電センサー１１及び温度センサー１３を配置している。位置センサー１２は、装置本体１０Ａ又は制御部本体１０Ｂに配置することができる。制御部本体１０Ｂには、二次電池を備えている。
図２（ｂ）は、歯ぎしり防止装置１０を充電器４０に載置した状態を示している。
制御部本体１０Ｂを充電器４０に載置することで充電が開始される。
ブラキシズム動作データ送信手段１９からのデータ送信は、充電器４０に載置したタイミング、充電が完了したタイミング、又はあらかじめ設定した時刻で行うことができる。
【００２８】
図３に示すように、クレンチング、グラインディング、及びタッピングは、それぞれ波形振幅と波形特性が異なる。
例えば、クレンチング、グラインディング、及びタッピングの識別は以下の方法によって行うことができる。
圧力波形が閾値を超えたものを微分して1回とする。所定対象時間（例えば2秒）以内は、一つのイベントとして数える。所定対象時間（2秒）以上であれば別のイベントと判断する。1回だけの検出はブラキシズムとして扱わない。所定時間（2秒）以内に、次のものが検出されたらそれを1回とする（インターバルクライテリア）。
1秒以上持続しないものはブラキシズムとして扱わない（デュレーションクライテリア）。
クレンチングとタッピングは、基本的には同じものであるが、クレンチングの方が強く噛むため、圧波形に残留があり、元に戻るのを識別できる。
他の識別方法として所定対象時間（例えば１秒）における変化回数によって識別することもできる。
所定対象時間での変化回数が１〜２回はクレンチングと判断し、所定対象時間での変化回数が３〜６回はタッピングと判断し、所定対象時間での変化回数が７〜１５回はグラインディングと判断することができる。
【００２９】
なお、位置センサー１２で検出する装置本体１０Ａの傾きから頭部の傾きを判別できるため、位置センサー１２で検出される頭部の傾きをブラキシズム動作データとともにブラキシズム動作データ記憶手段１７ｂに記憶することで頭部の角度とブラキシズム動作との関係を把握することができる。ブラキシズムの発生が、仰向けで７０〜７５％、横向きで２０〜２５％、うつ伏せで５％以下となることが確認されている。
また、位置センサー１２によって睡眠の質を判定できる。すなわち、睡眠中に体動が多いことは、睡眠の質が低下していることを示す。従って、振動を与える前と後における睡眠の質を比較することにより、睡眠の改善を判定できる。
また、温度センサー１３によって無意識に口腔外に外されている場合に歯ぎしりが全くなかったと誤認することを防止できる。
【産業上の利用可能性】
【００３０】
本発明の歯ぎしり防止装置を用いることで、他人の睡眠妨害を無くすことができるとともに、歯やインプラントの損傷を防止することができ，顎関節症に対する治療を行うことができる。
【符号の説明】
【００３１】
１０  歯ぎしり防止装置
１０Ａ  装置本体
１０Ｂ  制御部本体
１１  圧電センサー
１２  位置センサー
１３  温度センサー
１４  制御手段
１４ａ  歯ぎしり種類判定部
１４ｂ  ブラキシズム判別部
１４ｃ  振動制御部
１５  振動発生手段
１６  タイマー手段
１７  記憶手段
１７ａ  制御データ記憶手段
１７ｂ  ブラキシズム動作データ記憶手段
１８  制御データ入力手段
１９  ブラキシズム動作データ送信手段
２０  クライアント端末
２１  クライアント側ブラキシズム動作データ受信手段
２２  クライアント側ブラキシズム動作データ送信手段
２３  表示手段
２４  クライアント側制御データ入力手段
２５  クライアント側制御データ送信手段
３０  サーバー
３１  サーバー側ブラキシズム動作データ受信手段
３２  サーバー側ブラキシズム動作データ記憶手段
３３  サーバー側制御手段
３３ａ  動作データ比較判定部
３３ｂ  振動時間設定部
３３ｃ  振動強度設定部
３３ｄ  閾値設定部
３４  サーバー側制御データ記憶手段
３５  サーバー側制御データ送信手段
４０  充電器
【図１】
2020075018.tif 000003
【図２】
2020075018.tif 000004
【図３】
2020075018.tif 000005